(57)【要約】【課題】  吸い口の幅を調整可能及びホースを収納可能な掃除機を提供する。【解決手段】  ダストケース１１の前端に一つの開口スロット１８を形成することで、吸い口２と広い吸い口３をその中に入れてセッティング可能である。掃除機の狭い吸い口のパーツである主な吸い口２の一つ側又は両側に、１セット又は２セットの広い吸い口３が設けられ、その広い吸い口３はそれぞれ１セットの可動で嵌めて設けられた可動部３１、及び１セット又は１セット以上の接続部３２で構成される。可動部３１及び接続部３２を外部へ拡張する場合、その吸い口が狭い状態から広くなるので、吸い口のごみを吸う範囲が拡大可能となり、主な吸い口２のホースと接続可能である。普段それを圧縮してダストケース１１のインナーチューブの中に内蔵して設けられ、使用する場合、それがインナーチューブからリリースされるので、ホースの長さが倍増する。【選択図】    図１
0003100686.tif 000002
【実用新案登録請求の範囲】
【請求項１】
吸い口の幅を調整及びホースを収納可能な掃除機であって、
１個の掃除機の本体（１）、１個の主吸い口（２）及び１セットまたは２セットの広い吸い口（３）、ならびに広い吸い口（３ａ）を備え、
掃除機の本体（１）は、ダストケース（１１）の前端に一つの開口スロット（１８）が設けられ、主吸い口（２）、広い吸い口（３）及び広い吸い口（３ａ）はその中に入れてセッティング可能であり、開口スロット（１８）の内面壁の両側及び底面側にそれぞれ止め部（１８１、１８１ａ）及び止め部（１８２、１８２ａ）が設けられ、ダストケース（１１）の開口スロット（１８）上端に解除キー（１９）を入れるスロットベース（１１１）が設けられ、ダストケース（１１）は開口スロット（１８）の内壁に一つのインナーチューブ（１８３）が伸びて設けられ、
主吸い口（２）は、狭い吸い口のパーツであり、その末端が一つの内蔵されたホース（２１）と接続され、ダストケース（１１）のインナーチューブ（１８３）の中に収容可能であり、主吸い口（２）の上端壁及び解除キー（１９）に、フックとマッチングする定位構造を有し、
広い吸い口（３ａ）は、主吸い口（２）の一つ側又は両側に設けられ、広い吸い口（３）、広い吸い口（３ａ）は、可動で嵌めて設けられた可動部（３１、３１ａ）及び接続部（３２、３２ａ）で構成され、可動部（３１、３１ａ）及び接続部（３２、３２ａ）の間に１個のスプリング（３３、３３ａ）が設置され、可動部（３１、３１ａ）及び接続部（３２、３２ａ）は可動でダストケース（１１）の開口スロット（１８）の中に設けられ、且つ、可動部（３１、３１ａ）をそれぞれスロットベース（１１１）及び解除キー（１９）とマッチングするフック定位構造に形成し、スプリング（３３、３３ａ）のリリース又は圧縮の機能による外部へ拡張する状態又は内部へ引っ込んで嵌める状態を呈し、
可動部（３１、３１ａ）が内部へ引っ込むとき、スロットベース（１１１）にフックして定位されることにより、解除キー（１９）を１回押すと、可動部（３１、３１ａ）が押され、可動部（３１、３１ａ）がスプリング（３３、３３ａ）のリリース機能によって接続部（３２、３２ａ）と連動して外部へリリースさせることにより、吸い口が広くなり、解除キー（１９）を２回押すと、主吸い口（２）が押されて、主吸い口（２）がホース（２１）とともに自動的にリリースされることを特徴とする吸い口の幅を調整及びホースの収納が可能な掃除機。
【請求項２】
スロットベース（１１１）の両側にはそれぞれ一つの通し孔（１１２）が設けられ、その両側の壁にそれぞれ一つの止め部（１１３）が設けられ、その下端に一つの貫通孔（１１４）が設けられ、解除キー（１９）の二つの外壁はそれぞれ一つのフック（１９１）を有し、所定の位置に、それぞれ一つの押してコンタクトすることで、広い吸い口（３）、広い吸い口（３ａ）をリリース可能な第一コンタクト部（１９２）と、押してコンタクトすることで、主吸い口（２）を押してコンタクト可能な第二コンタクト部（１９３）とが設けられ、解除キー（１９）の中に予め一つのリターンスプリング（１９４）が設置されていることを特徴とする請求項１記載の吸い口の幅を調整及びホースの収納が可能な掃除機。
【請求項３】
解除キー（１９）の第一コンタクト部（１９２）及び解除キー（１９）の内壁の間には連接する補強リブ（１９５）が設けられていることを特徴とする請求項２記載の吸い口の幅を調整及びホースの収納が可能な掃除機。
【請求項４】
可動部（３１、３１ａ）及び接続部（３２、３２ａ）は、１セット又は１セット以上のマッチングするフックパーツを利用してセッティングされていることを特徴とする請求項１記載の吸い口の幅を調整及びホースの収納が可能な掃除機。
【請求項５】
可動部（３１、３１ａ）及び接続部（３２、３２ａ）は、相互にマッチングして伸びるフックボード（３１１、３１１ａ）、フックボード（３２１、３２１ａ）を利用して、対応して止めるように形成され、且つ、接続部（３２、３２ａ）に設けられたフックボード（３２１、３２１ａ）の別の一端と、開口スロット（１８）の内面壁の止め部（１８１、１８１ａ）とが同時にリミットラッチを形成することを特徴とする請求項１記載の吸い口の幅を調整及びホースの収納が可能な掃除機。
【請求項６】
可動部（３１、３１ａ）を内部へ引っ込めるとき、フックボード（３１１、３１１ａ）が主吸い口（２）の側壁２３を遮蔽して止めることを特徴とする請求項５記載の吸い口の幅を調整及びホースの収納が可能な掃除機。
【請求項７】
可動部（３１、３１ａ）及び接続部（３２、３２ａ）に、それぞれ一つのフックプレート（３１２、３１２ａ）及び一つのマッチングするスロット（３２２、３２２ａ）を設けることでそのフックプレート（３１２、３１２ａ）がスロット（３２２、３２２ａ）に移動可能となり、その移動が極限になると止まり定位するよう構成されていることを特徴とする請求項１記載の吸い口の幅を調整及びホースの収納が可能な掃除機。
【請求項８】
可動部（３１、３１ａ）の底部のプレートに、一つのコンケーブスロット（３１３、３１３ａ）が設けられ、可動部（３１、３１ａ）が広くなって移動した後、コンケーブスロット（３１３、３１３ａ）と開口スロット（１８）の底面壁の止め部（１８２、１８２ａ）とにより止めるように構成されていることを特徴とする請求項１記載の吸い口の幅を調整及びホースの収納が可能な掃除機。
【請求項９】
ホース（２１）の末端に一つのリミットリング（２１１）がロックして設けられ、インナーチューブ（１８３）のチューブ壁の前端に、一つのステップ部（１８４）を有し、チューブ壁の末端に、一つの止めリング（１８５）を設けることにより、ホース（２１）を伸縮して進退するとき、リミットリング（２１１）を利用して、それぞれステップ部（１８４）又は止めリング（１８５）とともにリミット止めを形成することを特徴とする請求項８記載の吸い口の幅を調整及びホースの収納が可能な掃除機。
【請求項１０】
主吸い口（２）の吸い口の上端壁に一つの凸状の粒（２２）が設けられ、ホース（２１）を圧縮してインナーチューブ（１８３）の中に設置するとき、凸状の粒（２２）をスロットベース（１１１）の下端にある貫通孔（１１４）に嵌めることで、定位状態を呈することを特徴とする請求項１記載の吸い口の幅を調整及びホースの収納が可能な掃除機。
【請求項１１】
可動部（３１、３１ａ）及び接続部（３２、３２ａ）の二つのパーツの間に設けられたスプリング（３３、３３ａ）は、その一端をダストケース（１１）のインナーロッド（１１５）の中に固定で接続され、接続部（３２、３２ａ）を貫通して通過することで、スプリング（３３、３３ａ）の別の一端を可動部（３１、３１ａ）に嵌めて接続されることを特徴とする請求項１記載の吸い口の幅を調整及びホースの収納が可能な掃除機。
【請求項１２】
内蔵されたホース（２１）は撓み性のあるホースであり、リリースされた後、その伸びが倍増され、一つのより長いホースになることを特徴とする請求項１記載の吸い口の幅を調整及びホースの収納が可能な掃除機。
【請求項１３】
広い吸い口（３）の接続部（３２）、接続部（３２ａ）は、２セット又は２セット以上の接続部（３２、３２ａ）と相互に直列で嵌めるように構成されていることを特徴とする請求項１記載の吸い口の幅を調整及びホースの収納が可能な掃除機。
【請求項１４】
吸い口の幅を調整可能な掃除機であって、
掃除機の本体（１）に狭い吸い口状態を呈する主吸い口（２）と一方又は両側に１セット又は２セットの広い吸い口（３）および広い吸い口（３ａ）とが設けられ、
広い吸い口（３）、広い吸い口（３ａ）は、１セットの可動で嵌められて設けられている可動部（３１、３１ａ）及び接続部（３２、３２ａ）で構成され、
可動部（３１、３１ａ）及び接続部（３２、３２ａ）が内部へ引っ込んで嵌めるとき、元の主吸い口（２）は狭い吸い口の状態を維持し、可動部（３１、３１ａ）及び接続部（３２、３２ａ）が外部へ拡張すると、吸い口は広がることを特徴とする吸い口の幅を調整及びホースの収納が可能な掃除機。
【請求項１５】
掃除機の本体（１）は、ダストケース（１１）の前端に、主吸い口（２）及び広い吸い口（３）、広い吸い口（３ａ）を入れる開口スロット（１８）が形成され、開口スロット（１８）の内面壁の両側及び底面壁にそれぞれ一つの止め部（１８１、１８１ａ）及び止め部（１８２、１８２ａ）が設けられ、開口スロット（１８）の上端に、一つの解除キー（１９）を入れるスロットベース（１１１）が設けられ、可動部（３１、３１ａ）及び接続部（３２、３２ａ）の間に、一つのスプリング（３３、３３ａ）が設けられ、可動部（３１、３１ａ）及び接続部（３２、３２ａ）がすべて可動でダストケース（１１）の開口スロット（１８）に設けられ、それぞれスロットベース（１１１）及び解除キー（１９）とマッチングするフック定位の構造を形成することを特徴とする請求項１４記載の吸い口の幅を調整及びホースの収納が可能な掃除機。
【請求項１６】
スロットベース（１１１）の両側壁にそれぞれ一つの通し孔（１１２）を有し、両側壁にそれぞれ一つの止め部（１１３）が設けられ、下端に一つの貫通孔（１１４）が設けられ、解除キー（１９）の二つの外壁にそれぞれ一つのフック（１９１）を有し、所定の位置に、一つの押してコンタクトすることで、リリース可能な広い吸い口（３）および広い吸い口（３ａ）の第一コンタクト部（１９２）が設けられ、解除キー（１９）の中に予めリターンスプリング（１９４）が設けられていることを特徴とする請求項１５記載の吸い口の幅を調整及びホースの収納が可能な掃除機。
【請求項１７】
解除キー（１９）の第一コンタクト部（１９２）と内壁との間に、連接する補強リブ（１９５）が設けられていることを特徴とする請求項１６記載の吸い口の幅を調整及びホースの収納が可能な掃除機。
【請求項１８】
可動部（３１、３１ａ）及び接続部（３２、３２ａ）は、１セット又は１セット以上の相互にマッチングするフックパーツと組合せて構成されることを特徴とする請求項１４記載の吸い口の幅を調整及びホースの収納が可能な掃除機。
【請求項１９】
可動部（３１、３１ａ）及び接続部（３２、３２ａ）は、相互にマッチングして伸びるフックボード（３１１、３１１ａ）及びフックボード（３２１、３２１ａ）を利用して、対応して止めるよう構成され、接続部（３２、３２ａ）で設けられたフックボード（３２１、３２１ａ）の別の一端は、開口スロット（１８）の止め部（１８１、１８１ａ）とともにリミットラッチを形成することを特徴とする請求項１４記載の吸い口の幅を調整及びホースの収納が可能な掃除機。
【請求項２０】
可動部（３１、３１ａ）及び接続部（３２、（３２ａ）には、それぞれ１枚のフックプレート（３１２、３１２ａ）及び一つのマッチングするスロット（３２２、３２２ａ）が設けられ、フックプレート（３１２、３１２ａ）がスロット（３２２、３２２ａ）の中に移動可能となり、その移動が極限になるとき、止め定位が形成されることを特徴とする請求項１４記載の吸い口の幅を調整及びホースの収納が可能な掃除機。
【請求項２１】
可動部（３１、３１ａ）の底部のプレートには、一つのコンケーブスロット（３１３、３１３ａ）が設けられ、可動部（３１、３１ａ）が広くなって移動した後、コンケーブスロット（３１３、３１３ａ）と開口スロット（１８）の底面壁の止め部（１８２、１８２ａ）とにより止めるよう構成されていることを特徴とする請求項１４記載の吸い口の幅を調整及びホースの収納が可能な掃除機。
【請求項２２】
可動部（３１、３１ａ）及び接続部（３２、３２ａ）の二つのパーツの間に設けられたスプリング（３３、３３ａ）は、その一端がダストケース（１１）のインナーロッド（１１５）の中に固定で接続され、接続部（３２、３２ａ）を貫通して通過することで、スプリング（３３、３３ａ）の別の一端を可動部（３１、３１ａ）に嵌めて接続することを特徴とする請求項１５記載の吸い口の幅を調整及びホースの収納が可能な掃除機。
【請求項２３】
広い吸い口（３）の接続部（３２、３２ａ）は、２セット又は２セット以上の接続部（３２、３２ａ）と相互に直列で嵌めるよう構成されていることを特徴とする請求項１４記載の吸い口の幅を調整及びホースの収納が可能な掃除機。
【請求項２４】
掃除機の本体（１）のダストケース（１１）に、一つのインナーチューブ（１８３）が設けられ、主吸い口（２）を内蔵したホース（２１）と接続し、ホース（２１）は圧縮してインナーチューブ（１８３）の中に収納可能な撓み性のあるホースであり、ダストケース（１１）が主吸い口（２）と相対する所定の位置に一つの解除キー（１９）が設けられ、主吸い口（２）が相対する位置に、解除キー（１９）とマッチングしてフックする定位構造が設けられ、
解除キー（１９）を押すとき、そのフックを触ると、ホース（２１）がインナーチューブ（１８３）からリリースされることを特徴とする吸い口の幅を調整及びホースの収納が可能な掃除機。
【考案の詳細な説明】
【技術分野】
【０００１】
本考案は、吸い口の幅を調整可能及びホースを収納可能な掃除機の設計に関する。
【背景技術】
【０００２】
従来の掃除機については、例えば、ポータブル式掃除機の吸い口の大きさはすべて固定式なので、任意にその吸い口の幅を調整して変わることが出来ない。そのため、外部に取り付ける特別なパーツを利用しなければならない。例えば、延長ホース、広い吸い盤形状の吸い口による、ホースの長さを伸びるか、吸い口の幅を変更する。上述の外部に取り付けるパーツを妥当に収納及び保管して、必要とする場合、それをとって取り替えるのである。そうすると、セッティングする時の不便を増加するし、余計な時間がかかる。特に、長い期間を経過すると、そのパーツを失うか壊れる事が良く生じたので、パーツ保管の難しさが増えるのである。上述による、従来のような掃除機及び外部に取り付けるパーツを分離する形態について、全体の使用上には大変不便になるのである。
【考案の開示】
【考案が解決しようとする課題】
【０００３】
したがって、本発明は、上記の問題を解決するためになされたものであり、吸い口の幅を調整可能及びホースを収納可能な掃除機を提供することを目的とする。
この考案の主要な目的は、吸い口の幅を調整できる及びホースを収納できる掃除機設計を提供するものである。その掃除機が同時に吸い口の幅を調整できる構造及びホースを収納できる構造を備えるので、その掃除機が同時に吸い口の幅を調整できる及びホースを収納できる整合機能を備えるものである。
【０００４】
この考案の次の目的は、吸い口の幅を調整できる掃除機の設計を提供するものである。それは掃除機の主吸い口一つ側又は両側に１セット又は２セットの広い吸い口が設けられ、その広い吸い口は、１セットの可動で嵌められて設ける可動部及び１セット又は１セット以上の接続部で構成されるので、その可動部及び接続部が内部へ引っ込んで嵌める場合、元の主吸い口が狭い吸い口の状態を維持するが、その可動部及び接続部が外部へ拡張すると、その吸い口はすぐ狭いことから広くなるので、この様な組立ては、任意に吸い口の大きさを調整できるので、操作上に時間の節約、便利などの長所があるし、使用効率の効果も大幅に向上できる。更に、内蔵されるパーツが失わないので、収納管理の難しさを避けられるのである。
【０００５】
この考案の別一つの目的は、吸い口の幅を調整できる掃除機の設計を提供するものである。上述の可動部及び接続部で構成される広い吸い口は、相互にマッチングするフックパーツを利用してセッティングすることで、その可動部を１セット又は１セット以上の接続部とマッチングで嵌めてセッティングでき構造が形成され、且つ、それを外部へ拡張して動かす場合、可動部及び接続部を相互に脱出しないことを確保できる。
【０００６】
この考案の又一つの目的は、ホースを収納できる掃除機の設計を提供するものである。それは掃除機のダストケースの中に一つのインナーチューブが設けられ、その主吸い口を内蔵されたホースに接続してある。その内蔵されたホースは、一つの撓み性のあるホースであるので、圧縮してインナーチューブの中に収納できるので、必要する場合、そのホースがインナーチューブからリリースできるので、その主吸い口が外部へ伸びられるので、引き出し、隙間、スロットなどの普通の掃除機で直接近づかない部位に清潔、掃除のことを行えるのである。
【課題を解決するための手段】
【０００７】
上述の目的を達成するために、本考案の請求項に記載の吸い口の幅を調整可能及びホースを収納可能な掃除機は、吸い口の幅を調整可能及びホースを収納可能な掃除機の設計に関し、主には、掃除機の主吸い口の一つ側又は両側に、１セット又は２セットの広い吸い口が設けられ、その広い吸い口はそれぞれ１セットの可動で嵌めて設けられた可動部、及び１セット又は１セット以上の接続部で構成される。可動部及び接続部を外部へ拡張する場合、その吸い口が狭いことから広くなるので、吸い口のごみを吸う範囲が拡大できるし、主吸い口のホースと接続することが出来る。普段それを圧縮してダストケースのインナーチューブの中に内蔵して設けられ、使用する場合、それがインナーチューブからリリースされるので、ホースの長さが倍増で伸びるのである。
【考案を実施するための最良の形態】
【０００８】
以下、本考案の実施例を図面に基づいて説明する。
図１から図３に示すように、本考案の実施例による吸い口の幅を調整可能及びホースを収納可能な掃除機は、１個の掃除機の本体１、１個の主吸い口２及び１セットまたは２セットの広い吸い口３、３ａで構成される。
【０００９】
掃除機の本体１があり、それはダストケース１１、フィルター１２、ファン１３、モーター１４、スイッチ１５などの基本パーツを含む。それをポータブル式掃除機に応用する場合、その末端に取っ手１６が設けら、その内部にバッテリーセット１７が設けられる。上述の構造は従来の掃除機の構造と同じなので、ここで述べないが、本実施例は、特にその掃除機の本体１のダストケース１１の前端に一つの開口スロット１８を形成することで、下記のような主吸い口２と広い吸い口３、３ａをその中に入れてセッティング可能である。
【００１０】
その開口スロット１８の内面壁の両側及び底面側にそれぞれ止め部１８１、１８１ａ及び１８２、１８２ａが設けら、そのダストケース１１が開口スロット１８上端にスロットベース１１１が設けられる。図４に示すように、そのスロットベース１１１の両側にそれぞれ一つの通し孔１１２が設けられ、二つの側壁の上にそれぞれ一つの止め部１１３があり、及びその下端に一つの貫通孔１１４が設けられる。
【００１１】
主吸い口２は一つの狭い吸い口のパーツである。その末端を一つのホース２１と接続とし、その吸い口の上端壁に一つの定位凸状の粒２２が設けられる。
１セットまたは２セットの広い吸い口３広い吸い口、３ａがあり、それを掃除機の主吸い口２の一つ側又は両側に設け、各セットの広い吸い口３、広い吸い口３ａは、すべて可動で嵌めて設けられた可動部３１、３１ａ及び接続部３２、３２ａで構成される。且つ、その中に一つのスプリング３３、３３ａを含む。又、その可動部３１、３１ａ及び接続部３２、３２ａは可動でダストケース１１の開口スロット１８の中に設けられ、更に、二つのパーツ３１、３１ａ及び３２、３２ａの間に１個のスプリング３３、３３ａを入れてあるので、二つのパーツがスプリング３３、３３ａのリリース機能又は圧縮による、外部へ拡張する状態（図５から図７に示す）、又は内部へ引っ込んで嵌める状態（図３又は図８に示す）、を呈するものである。
【００１２】
図９から図１１に示すように、上述のように、ダストケース１１の前端の上壁に設けられたスロットベース１１１は、主に一つの解除キー１９を有し、その解除キー１９の二つの外壁にそれぞれ一つのフック１９１を備え、選定された位置に、それぞれ一つを押して接続する。上述の広い吸い口３、３ａをリリース可能な第一接続部１９２、及び押して接続することで、上述の主吸い口２を押して接続可能な第二接続部１９３が設けられている。更に図１２に示すようにその解除キー１９の中には予め一つのリータンスプリング１９４が設けられているので、解除キー１９が押されると速やかに位置に戻れる。又、上述の第一接続部１９２の構造強度を補強するため、その第一接続部１９２、及び解除キー１９の内壁の間に一つの連接する補強リブ１９５を設けることで、第一接続部１９２にベターの構造強度を持たせているのである。
【００１３】
図１３及び図１４に示すように、上述の広い吸い口３、３ａは、すべて可動部３１、３１ａ及び接続部３２、３２ａで構成され、１セット又は１セット以上のマッチングするフックパーツを利用してセッティングすることで、その可動部３１、３１ａ及び接続部３２、３２ａが相対に嵌めて収納可能となり、二つのパーツは、絶対に脱出しないことを確保可能である。可動部３１、３１ａ及び接続部３２、３２ａの二つのパーツは、相互にマッチングして伸びるフックボード３１１、３１１ａ、フックボード３２１、３２１ａを利用して、対応して止めるよう構成される。且つ、図６に示すようにその接続部３２、３２ａに設けられたフックボード３２１、３２１ａの別の一端と、開口スロット１８の内面壁の止め部１８１、１８１ａとで同時にリミットラッチが形成される。その広い吸い口３、３ａの吸い口が広くなった場合、リミット止め状態を呈することで、可動部３１、３１ａ及び接続部３２、３２ａの脱出することを防止可能である。また、その吸い口が狭く戻った場合、そのフックボード３１１、３１１ａにより、主吸い口２の側壁２３に遮蔽して止めることが可能である。
【００１４】
図１及び図５に示すように、上述の可動部３１、３１ａ及び接続部３２、３２ａに、それぞれ１枚のフックプレート３１２、３１２ａ及び一つのマッチングするスロット３２２、３２２ａを設けることで、そのフックプレート３１２、３１２ａがスロット３２２、３２２ａの中に移動可能となり、その移動が極限になる場合、止め定位が形成されるのである。
【００１５】
上述の可動部３１、３１ａの底部のプレートに、一つのコンケーブスロット３１３、３１３ａが設けられ、その可動部３１、３１ａが広くなって移動した後、コンケーブスロット３１３、３１３ａと開口スロット１８の底面壁の止め部１８２、１８２ａにより止める効果が形成される。
【００１６】
図１５に示すように、可動部３１、３１ａに設けられたフックプレート３１２、３１２ａを内部へ引っ込める場合、ちょうどスロットベース１１１の両側壁の止め部１１３とフック定位を形成し、解除キー１９の第一接続部１９２をフックプレート３１２、３１２ａとマッチングして対応するの。図１６に示すように、その解除キー１９を押す場合、その第一接続部１９２が可動部３１、３１ａに設けられたフックプレート３１２、３１２ａを押して接続するので、その可動部３１、３１ａがスプリング３３、３３ａのリリース機能による接続部３２、３２ａを連動して外部へリリースし、その吸い口が広くなる。
【００１７】
図１７に示すように、上述のダストケース１１が開口スロット１８の内壁に一つのインナーチューブ１８３が伸びて設けられ、そのインナーチューブ１８３は主吸い口２に連接する内蔵されたホース２１を入れることが可能である。又、そのホース２１の末端に一つのリミットリング２１１がロックして設けられ、更に、そのインナーチューブ１８３のチューブ壁の前端に、一つのステップ部１８４を備え、そのチューブ壁の末端に、一つの止めリング１８５を設けることで、ホース２１を伸縮して進退する場合、そのリミットリング２１１を利用して、それぞれステップ部１８４又は止めリング１８５とリミット止めることが形成されるので、ホース２１をインナーチューブ１８３から脱出することを防止可能である。
【００１８】
上述の主吸い口２は、吸い口の上端壁に一つの凸状の粒２２が設けられたので、そのホース２１を圧縮してインナーチューブ１８３の中に入れる場合、その凸状の粒２２をスロットベース１１１の下端にある貫通孔１１４に嵌めることで、定位状態を呈する。且つ、そのフックボード３１１、３１１ａが普段主吸い口２の側壁２３を遮蔽して止めるので、その内蔵されたホース２１が安定でインナーチューブ１８３の中に収納可能である。
【００１９】
上述の広い吸い口３、３ａは、主にその可動部３１、３１ａ及び接続部３２、３２ａの二つのパーツの間に一つのスプリング３３、３３ａを設け、そのスプリング３３、３３ａの一端をダストケース１１のインナーロッド１１５、又はその他の選定された位置に固定で接続させ、接続部３２、３２ａを貫通して通過することで、スプリング３３、３３ａの別の一端を可動部３１、３１ａに嵌めて接続可能である。解除キー１９が押された後、可動部３１、３１ａが直ちにリリースされ、同時に接続部３２、３２ａを連動して外部へ移動することで、その吸い口が広くなる。
【００２０】
上述の吸い口２のリリース作動を行う場合、その広い吸い口３、３ａがまだ外部へ拡張していない場合、その吸い口２の側壁２３がフックボード３１１、３１１ａに遮蔽される状態にあるので、１回目解除キー１９を押して、その広い吸い口３、３ａが広くなった後、そのフックボード３１１、３１１ａの遮蔽制限が解除される。図１８に示すように２回目の解除キー１９を押すことにより、解除キー１９の第二接続部１９３を利用して、吸い口２の定位する凸状の粒２２を押して接続することで、その主吸い口２がホース２１と一緒に自動にリリースしてから、その広い吸い口３、３ａを内部へ引っ込んで現状を回復する。図１９に示すようにその吸い口２及び内蔵されたホース２１をリリースすることで、操作の使用を提供する。又、その内蔵されたホース２１は、一つの撓み性のあるホースであるので、圧縮してインナーチューブ１８３の中に収納が容易である。そのホース２１がインナーチューブ１８３からリリースされた後、自動に倍増して、一つのより長いホースとなる。それにより、引き出し、隙間、スロットなどの普通の掃除機で直接近づかない部位に清潔、掃除を行えるのである。
【００２１】
本考案の精神による、吸い口の幅を調整できる構造に関する設計は、既に独立で掃除機に実施可能である。掃除機の吸い口だけを改良すれば、その吸い口が任意に狭いから広くなることを調整可能で、吸い口のごみを吸う範囲が拡大する。又、この考案のホースを収納する構造に関する設計も独立で実施可能である。この考案を使えば、掃除機に一つの長さを倍増出来る内蔵されるホースを備えることで、従来の外部にホースのパーツを取り付けて使用する形態を代われるので、簡単にホースを収納する目的を達成する。この考案を実施する場合、当然同時に吸い口の幅を調整できるとホースを収納できる機能を同時に備えるほうが良いのである。
【００２２】
本考案の手段応用について、広い吸い口３、３ａの可動部３１、３１ａ、接続部３２、３２ａ及びスプリング３３、３３ａなどのパーツを使って、相互にマッチングの伸縮して移動可能なセッティング構成を形成すれば、十分に使用可能である。又、それぞれのマッチングするフックパーツの連接構造について、当然図式の実施例に限られず、その同じな効果による、その他の変更又は代わりを実施することが可能である。且つ、この考案の技術による、その広い吸い口３、３ａも同時に左、右２セットを設けることが必要ではなく、需要により、１セットの広い吸い口３、３ａを主吸い口３のいずれかの側に取り付けることで、吸い口が狭いことから広くなる使用目的を達成する。
【００２３】
更に、接続部３２、３２ａのパーツについて、それを実施する場合、同じように応用できる。即ち、同一なものか同じ効果の構造を利用して、２セット又は２セット以上の接続部３２、３２ａを相互に直列で嵌めることで、その可動部３１、３１ａが１回又は段階を分けて、２セット以上の接続部３２、３２ａを連動して外部へ拡張して動かせるので、広い吸い口３、３ａの多段式組立てを実現する。掃除機の吸い口がもっと広くなることが可能となる。そのため、前述の実施例でこの考案の技術範囲を限ることが出来ない。その他同じ効果の交換、取替えを使う技術は、すべて応用できるので、それはこの考案の技術の特徴と見なされるのである。
【図面の簡単な説明】
【００２４】
【図１】本考案の一実施例による吸い口の幅を調整可能及びホースを収納可能な掃除機の主要なパーツを示す分解立体図である。
【図２】本考案の一実施例による吸い口の幅を調整可能及びホースを収納可能な掃除機を示すセッティング断面図である。
【図３】本考案の一実施例による吸い口の幅を調整可能及びホースを収納可能な掃除機の狭い吸い口状態を示すセッティング断面図である。
【図４】本考案の一実施例による吸い口の幅を調整可能及びホースを収納可能な掃除機のダストケースを示す断面説明図である。
【図５】本考案の一実施例による吸い口の幅を調整可能及びホースを収納可能な掃除機の広い吸い口状態を示す断面立体図である。
【図６】本考案の一実施例による吸い口の幅を調整可能及びホースを収納可能な掃除機の広い吸い口状態を示すセッティング断面図である。
【図７】本考案の一実施例による吸い口の幅を調整可能及びホースを収納可能な掃除機の広い吸い口状態を示す外観立体図である。
【図８】本考案の一実施例による吸い口の幅を調整可能及びホースを収納可能な掃除機の吸い口状態を示す外観立体図である。
【図９】本考案の一実施例による吸い口の幅を調整可能及びホースを収納可能な掃除機の解除キーを示す断面図である。
【図１０】本考案の一実施例による吸い口の幅を調整可能及びホースを収納可能な掃除機の解除キーを示す下面図である。
【図１１】本考案の一実施例による吸い口の幅を調整可能及びホースを収納可能な掃除機の局部説明を示す上面図である。
【図１２】本考案の一実施例による吸い口の幅を調整可能及びホースを収納可能な掃除機の解除キーをスロットベースに取り付けるセッティング断面図である。
【図１３】本考案の一実施例による吸い口の幅を調整可能及びホースを収納可能な掃除機の可動部と接続部がフックパーツでセッティングする局部の横断面図である。
【図１４】本考案の一実施例による吸い口の幅を調整可能及びホースを収納可能な掃除機の可動部と接続部のフック状態を示す説明図である。
【図１５】本考案の一実施例による吸い口の幅を調整可能及びホースを収納可能な掃除機の解除キーと可動部がフックで定位する状態を示す断面説明図である。
【図１６】本考案の一実施例による吸い口の幅を調整可能及びホースを収納可能な掃除機の解除キーと可動部が押して解除する状態を示す断面説明図である。
【図１７】本考案の一実施例による吸い口の幅を調整可能及びホースを収納可能な掃除機のストケースと主要なパーツのセッティング断面図である。
【図１８】本考案の一実施例による吸い口の幅を調整可能及びホースを収納可能な掃除機の主吸い口が既にリリースしたが、広い吸い口がまだ収納していない状態の説明図である。
【図１９】本考案の一実施例による吸い口の幅を調整可能及びホースを収納可能な掃除機の主吸い口が既にリリースしたが、広い吸い口が既に収納した状態の説明図である。
【符号の説明】
【００２５】
１  掃除機の本体、２  主吸い口、３  広い吸い口、１１  ダストケース、１２  フィルター、１３  ファン、１４  モーター、１５  スイッチ、１６  取っ手、１７  バッテリーセット、１８  開口スロット、１９  解除キー、２１  ホース、２２  凸状の粒、２３  側壁、３１  可動部、３２  接続部、３３  スプリング、１１１  スロットベース１１１、１１２  通し孔、１１４  貫通孔、１１５  インナーロッド、１８１  止め部、１８３  インナーチューブ、１８４  ステップ部、１８５  止めリング１８５、１９１  フック、１９２  第一接続部、１９３  第二接続部、１９４  リータンスプリング、１９５  補強リブ、２１１  リミットリング、３１１  フックボード、３１２  フックプレート、３１３  コンケーブスロット、３２２  スロット
【図１】
0003100686.tif 000003
【図２】
0003100686.tif 000004
【図３】
0003100686.tif 000005
【図４】
0003100686.tif 000006
【図５】
0003100686.tif 000007
【図６】
0003100686.tif 000008
【図７】
0003100686.tif 000009
【図８】
0003100686.tif 000010
【図９】
0003100686.tif 000011
【図１０】
0003100686.tif 000012
【図１１】
0003100686.tif 000013
【図１２】
0003100686.tif 000014
【図１３】
0003100686.tif 000015
【図１４】
0003100686.tif 000016
【図１５】
0003100686.tif 000017
【図１６】
0003100686.tif 000018
【図１７】
0003100686.tif 000019
【図１８】
0003100686.tif 000020
【図１９】
0003100686.tif 000021